(57)【特許請求の範囲】
【請求項１】
遊技盤の裏面に配設した裏面カバーに液晶モニターを固定することによって、前記遊技盤の開口部に前記液晶モニターを取け付けるパチンコ機において、
前記裏面カバーの液晶モニター配置用切欠部の左右上端面から所定距離下方の位置に設けられた一対の固定用穴と、
前記液晶モニターの左右両側の上方前面部に対して該液晶モニターの上端部から同じ高さの位置に着脱自在な複数種類の一対の位置変更用部品にそれぞれ設けられた位置変更用穴と、
前記液晶モニターの左右両側の前記位置変更用穴に対向する位置に形成された上下方向に長い一対の長穴と、
前記長穴を介して前記位置変更用穴及び前記固定用穴にねじ込まれる一対のネジと、
を備え、
前記複数種類の一対の位置変更用部品は、前記裏面カバーに当接する前面部の前記位置変更用穴から前記所定距離上方の位置に形成された該裏面カバー側へ突出するストッパーを有し、
該複数種類の一対の位置変更用部品は、位置変更用穴の形成される上端部からの高さが各種類毎に異なり、
前記液晶モニターは、前記一対の位置変更用部品を取り付け後、該一対の位置変更用部品のストッパーを前記裏面カバーの液晶モニター配置用切欠部の左右上端面に上方から当接させて前記一対のネジによって該裏面カバーに螺着されることを特徴とするパチンコ機。
【発明の詳細な説明】
【０００１】
【発明の属する技術分野】
本発明は、遊技盤の裏面に配設された裏面カバーに対し液晶モニターが固定されるパチンコ機に関する。
【０００２】
【従来の技術】
従来より、多くのパチンコ機では、液晶モニターを配設するため、図２４に示すように、その遊技盤１００の中央に開口部１０１を設けている。また、入賞口を配設するため、図２４に示すように、その遊技盤１００の適所に複数の開口部１０２を設けている。
尚、図２４は、遊技盤の裏面の正面図である。
【０００３】
さらに、遊技盤１００の裏面には、図２５に示すように、遊技盤１００に配設された入賞口からの入賞球を所定の場所に案内するため、入賞球集合部材１０３（「裏面カバー」に相当するもの）を配設している。そして、この入賞球集合部材１０３には、液晶モニターを固定するための、一対の固定用穴１０４と一対の受部１０５が設けられている。
【０００４】
従って、図２６に示すように、液晶モニター１０６の両側の下端を一対の受部１０５に差し入れて、液晶モニター１０６の両側の上方に設けられた一対の固定用穴（不図示）を、入賞球集合部材１０３の一対の固定用穴１０４（図２５参照）に連通させ、その後に、液晶モニター１０６の一対の固定用穴（不図示）から入賞球集合部材１０３の一対の固定用穴１０４（図２５参照）にネジ１０７をそれぞれねじ込むことにより、液晶モニター１０６を入賞球集合部材１０３に固定している。
【０００５】
これにより、遊技盤１００の開口部１０１に液晶モニター１０６を取り付けることができる。
【０００６】
【発明が解決しようとする課題】
しかしながら、パチンコ機のデザインが一新される場合には、それにあわせて、液晶モニター１０６の取付位置も上下に多少変更されることが多いが、入賞球集合部材１０３の一対の固定用穴１０４（図２５参照）は、所定の位置に設けられたものであるので、液晶モニター１０６の取付位置が変更されると、既存の入賞球集合部材１０３を使用することができなかった。
【０００７】
そのため、液晶モニター１０６の取付位置の変更に対応するように、一対の固定用穴１０４（図２５参照）の位置を変更させた入賞球集合部材１０３を、新たに設計・製作しなければならなかった。
【０００８】
特に、近年においては、パチンコ機の入れ替わりが激しいので、パチンコ機のデザインが一新されるたびに、入賞球集合部材１０３を新たに設計・製作することは、制作者側にとって大きな負担であった。
【０００９】
そこで、本発明は、上述した問題点を解決するためになされたものであり、液晶モニターの取付位置の変更に対応できる裏面カバーを有したパチンコ機を提供することを課題とする。
【００１０】
【課題を解決するための手段】
この課題を解決するために成された請求項１に係る発明は、遊技盤の裏面に配設した裏面カバーに液晶モニターを固定することによって、前記遊技盤の開口部に前記液晶モニターを取け付けるパチンコ機において、前記裏面カバーの液晶モニター配置用切欠部の左右上端面から所定距離下方の位置に設けられた一対の固定用穴と、前記液晶モニターの左右両側の上方前面部に対して該液晶モニターの上端部から同じ高さの位置に着脱自在な複数種類の一対の位置変更用部品にそれぞれ設けられた位置変更用穴と、前記液晶モニターの左右両側の前記位置変更用穴に対向する位置に形成された上下方向に長い一対の長穴と、前記長穴を介して前記位置変更用穴及び前記固定用穴にねじ込まれる一対のネジと、を備え、前記複数種類の一対の位置変更用部品は、前記裏面カバーに当接する前面部の前記位置変更用穴から前記所定距離上方の位置に形成された該裏面カバー側へ突出するストッパーを有し、該複数種類の一対の位置変更用部品は、位置変更用穴の形成される上端部からの高さが各種類毎に異なり、前記液晶モニターは、前記一対の位置変更用部品を取り付け後、該一対の位置変更用部品のストッパーを前記裏面カバーの液晶モニター配置用切欠部の左右上端面に上方から当接させて前記一対のネジによって該裏面カバーに螺着されることを特徴としている。
【００１１】
【００１２】
【００１３】
【００１４】
【００１５】
【００１６】
すなわち、このような特徴を有する本発明のパチンコ機においては、裏面カバーと液晶モニターの相対的位置関係を変更し得る複数種類の位置変更用部品を備えているので、裏面カバーは、液晶モニターの取付位置の変更に対応することが可能となる。
【００１７】
具体的には、液晶モニターは、一対の位置変更用部品を取り付け後、該一対の変更用部品のストッパーを裏面カバーの液晶モニター配置用切欠部の左右上端面に上方から当接させることによって、この裏面カバーとの上下方向の相対位置が決定される。また、各位置変更用部品のストッパーから位置変更用穴までの距離は、所定距離で一定であるため、各ストッパーを裏面カバーの液晶モニター配置用切欠部の左右上端面に上方から当接させた場合には、各位置変更用穴と各固定用穴とは連通する。このため、位置変更用穴の形成される上端部からの高さが異なる複数種類の位置変更用部品を用意すれば、それらの位置変更用部品のうち液晶モニターに取り付けるものを選択することによって、裏面カバーと液晶モニターの相対的位置関係を変更し得る。
【００１８】
【００１９】
【００２０】
【００２１】
従って、本発明のパチンコ機においては、デザインが一新され、それにあわせて、液晶モニターの取付位置が変更されても、複数種類の位置変更用部品のうち液晶モニターに取り付けるものを選択することにより対応することができ、裏面カバーを新たに設計・製作する必要もないので、裏面カバーの共通化に貢献することができる。
【００２２】
【発明の実施の形態】
以下、本発明の実施の形態を図面を参照にして説明する。先ず、第１実施の形態のパチンコ機について説明する。図５は、第１実施の形態のパチンコ機で使用される入賞球集合部材の正面図である。
【００２３】
図５に示すように、第１実施の形態のパチンコ機で使用される入賞球集合部材１０Ａには、切欠部１１Ａの上方の両側において、一対の固定用穴１２Ａが形成されている。また、切欠部１１Ａの下方の両側において、一対の受部１３Ａが形成されている。尚、図６は、図５の線Ｃ−Ｃで切断した断面図である。
【００２４】
また、図７と図８は、位置変更用部品の正面図、背面図、側面図、上面図をまとめて示したものである。図７の位置変更用部品２１には、位置変更用穴２５が設けられるとともに、その背面に板状ストッパー２３が形成されている。同様にして、図８の位置変更用部品３１には、位置変更用穴３５が設けられるとともに、その背面に板状ストッパー３３が形成されている。
更に、図７に示すように、位置変更用部品２１において、液晶モニター１４Ａの取付耳部５０の取付面５１（図４参照）と当接する当接面５２は、フラットに形成されている。また、図８に示すように、位置変更用部品３１において、液晶モニター１４Ａの取付耳部５０の取付面５１（図１参照）と当接する当接面５３は、フラットに形成されている。
【００２５】
また、図７の位置変更用部品２１と図８の位置変更用部品３１は、同じ大きさのものである。また、図７の位置変更用部品２１における位置変更用穴２５と板状ストッパー２３との間隔は、図８の位置変更用部品３１における位置変更用穴３５と板状ストッパー３３との間隔に等しい。
【００２６】
但し、図７の位置変更用部品２１の位置変更用穴２５は、図８の位置変更用部品３１の位置変更用穴３５よりも、下端寄りに設けられており、また、図７の位置変更用部品２１の板状ストッパー２３は、図８の位置変更用部品３１の板状ストッパー３３よりも、中央寄りに設けられている。
【００２７】
そして、図７の一対の位置変更用部品２１は、図９に示すように、液晶モニター１４Ａの両側の上方に形成された取付耳部５０（図２、図３参照）おいて着脱自在に取り付けられる。このとき、図７の位置変更用部品２１の板状ストッパー２３が、液晶モニター１４Ａから突出する。また、図８の一対の位置変更用部品３１も、同様であり、図９に示すように、液晶モニター１４Ａの両側の上方において着脱自在に取り付けられる。このときも、図８の位置変更用部品３１の板状ストッパー３３が、液晶モニター１４Ａから突出する。
ここに、液晶モニター１４Ａにおける取付耳部５０の取付面５１は、図１及び図４に示すように、フラットに形成されている。従って、前記したように位置変更用部品２１、３１の当接面５２、５３がそれぞれフラットに形成されていることから、液晶モニター１４Ａの取付耳部５０の取付面５１と位置変更用部品２１、３１の当接面５２、５３とは、各フラット面を介して相互に隙間なく密着させることができる。これにより、それぞれ一対の位置変更用部品２１、３１を液晶モニター１４Ａの各取付耳部５０に取り付けるに際して、位置変更用部品２１、３１が取付面５１に対して傾いた状態で取り付けられることを確実に防止することが可能となり、両者の配置関係を正確に保持することができる。
【００２８】
このようにして、図８の位置変更用部品３１が液晶モニター１４Ａに取り付けられた後は、図５の入賞球集合部材１０Ａの切欠部１１Ａに液晶モニター１４Ａを配設するため、液晶モニター１４の両側の下端を、図５の入賞球集合部材１０Ａの一対の受部１３Ａに差し入れる。
【００２９】
このとき、図１に示すように、入賞球集合部材１０Ａの上端面に位置変更用部品３１の板状ストッパー３３が当接した状態になると、液晶モニター１４Ａの位置が安定するとともに、位置変更用部品３１の位置変更用穴３５が入賞球集合部材１０Ａの固定用穴１２Ａと連通する。
【００３０】
その後は、液晶モニター１４Ａに設けられた一対の長穴１７Ａを介して、各位置変更用部品３１に形成された一対の位置変更用穴３５から、入賞球集合部材１０Ａの一対の固定用穴１２Ａに、ネジ１６Ａをそれぞれにねじ込むことにより、図２に示すように、液晶モニター１４Ａを入賞球集合部材１０Ａに固定することができる。
尚、図１は、図２の線Ａ−Ａで切断した断面図であって、ネジ１６Ａは省略して図示している。
【００３１】
また、同様にして、図７の位置変更用部品２１が液晶モニター１４Ａに取り付けられた後は、図５の入賞球集合部材１０Ａの切欠部１１Ａに液晶モニター１４Ａを配設するため、液晶モニター１４の両側の下端を、図５の入賞球集合部材１０Ａの一対の受部１３Ａに差し入れる。
【００３２】
このとき、図４に示すように、入賞球集合部材１０Ａの上端面に位置変更用部品２１の板状ストッパー２３が当接した状態になると、液晶モニター１４Ａの位置が安定するとともに、位置変更用部品２１の位置変更用穴２５が入賞球集合部材１０Ａの固定用穴１２Ａと連通する。
【００３３】
その後は、液晶モニター１４Ａの設けられた一対の長穴１７Ａを介して、各位置変更用部品２１に形成された一対の位置変更用穴２５から、入賞球集合部材１０Ａの一対の固定用穴１２Ａに、ネジ１６Ａをそれぞれにねじ込むことにより、図３に示すように、液晶モニター１４Ａを入賞球集合部材１０Ａに固定することができる。
【００３４】
もっとも、上述したように、図７の位置変更用部品２１における位置変更用穴２５は、図８の位置変更用部品３１における位置変更用穴３５よりも、下端寄りに位置し、また、図７の位置変更用部品２１における板状ストッパー２３は、図８の位置変更用部品３１の板状ストッパー３３よりも、中央寄りに位置するので、図７の位置変更用部品２１が取り付けられた図３の液晶モニター１４Ａは、図８の位置変更用部品３１が取り付けられた図２の液晶モニター１４Ａよりも、入賞球集合部材１０Ａにおいて、より上方で固定されている。
尚、図４は、図３の線Ｂ−Ｂで切断した断面図であって、ネジ１６Ａは省略して図示している。
【００３５】
このように、第１実施の形態のパチンコ機では、入賞球集合部材１０Ａに液晶モニター１４Ａを固定することによって、遊技盤の開口部に液晶モニター１４Ａを取り付ける。
【００３６】
すなわち、第１実施の形態のパチンコ機においては、液晶モニター１４Ａに取り付けられた位置変更用部品２１、３１の位置変更用穴２５、３５と入賞球集合部材１０Ａの固定用穴１２Ａとを連通させた後に（図１、図４参照）、ネジ１６Ａを螺入させることによって、液晶モニター１４Ａが入賞球集合部材１０Ａに固定されることになる（図２、図３参照）。
【００３７】
さらに、ここでは、位置変更用穴２５、３５の位置が異なる位置変更用部品２１、３１を２種類用意しており、それらの位置変更用部品２１、３１のうち液晶モニター１４Ａに着けられるものを選択することによって、入賞球集合部材１０Ａと液晶モニター１４Ａの相対的位置関係を変更することができる（図２、図３参照）。
【００３８】
従って、第１実施の形態のパチンコ機は、固定手段として、入賞球集合部材１０Ａに設けられた固定用穴１２Ａと、液晶モニター１４Ａに対して着脱自在な２種類の位置変更用部品２１、３１にそれぞれ設けられた位置変更用穴２５、３５と、入賞球集合部材１０Ａの固定用穴１２Ａと位置変更用部品２１、３１の位置変更用穴２５、３５とに螺入されるネジ１６Ａとを備えたもの、と言うことができる。
【００３９】
次に、第２実施の形態のパチンコ機について説明する。図１０は、第２実施の形態のパチンコ機で使用される入賞球集合部材の正面図である。
【００４０】
図１０に示すように、第２実施の形態のパチンコ機で使用される入賞球集合部材１０Ｂには、切欠部１１Ｂの上方の両側において、３組の位置変更用穴１５Ｂが所定間隔で形成されている。また、切欠部１１Ｂの下方の両側においても、３組の位置変更用穴１５Ｂが所定間隔で形成されている。ここに、各位置変更用穴１５Ｂは直線に沿って形成されている。
また、図１１に示すように、入賞球集合部材１０Ｂにおいて、液晶モニター１４Ｂの取付耳部５０における取付面５４（図１３参照）と当接する当接面５５は、フラットに形成されている。
尚、図１１は、図１０の線Ｄ−Ｄで切断した断面図である。
【００４１】
一方、図１２と図１３で図示される液晶モニター１４Ｂの両側に形成された取付耳部５０には、その上方の両側において、一対の固定用穴１２Ｂが形成されている。また、その下方の両側においても、一対の固定用穴１２Ｂが形成されている。更に、各固定用穴１２Ｂの周辺で取付耳部５０が入賞球集合部材１０Ｂの当接面５５と対向する位置には、フラットに形成された取付面５４を構成している。
【００４２】
そして、図１０の入賞球集合部材１０Ｂの切欠部１１Ｂに液晶モニター１４Ｂを配設するため、ここでは、図１３に示すように、液晶モニター１４Ｂの固定用穴１２Ｂが、３組の位置変更用穴１５Ｂのうち上方のものと連通するように、液晶モニター１４Ｂを各位置変更用穴１５Ｂの列設方向である直線に沿って移動させ、液晶モニター１４Ｂにおける取付耳部５０の当接面５４と入賞球集合部材１０Ｂの当接面５５とを接面させる。
このとき、前記したように、液晶モニター１４Ｂにおける取付耳部５０の取付面５４はフラットに形成されており、また、入賞球集合部材１０Ｂの当接面５５も同様にフラットに形成されていることから、液晶モニター１４Ｂの取付耳部５０の取付面５４と入賞球集合部材１０Ｂの当接面５５とは、各フラット面を介して相互に隙間なく密着させることができる。これにより、液晶モニター１４Ｂを入賞球集合部材１０Ｂに取り付けるに際して、液晶モニター１４Ｂが当接面５５５５に対して傾いた状態で取り付けられることを確実に防止することが可能となり、両者の配置関係を正確に保持しつつ液晶モニター１４Ｂを常に見やすい状態に配設することができる。
【００４３】
その後は、液晶モニター１４Ｂの取付耳部５０における固定用穴１２Ｂから、入賞球集合部材１０Ｂの位置変更用穴１５Ｂに、ネジ１６Ｂをそれぞれにねじ込むことにより、図１２に示すように、液晶モニター１４Ｂを入賞球集合部材１０Ｂに固定することができる。
尚、図１３は、図１２の線Ｅ−Ｅで切断した断面図である。
【００４４】
また、或いは、図１０の入賞球集合部材１０Ｂの切欠部１１Ｂに液晶モニター１４Ｂを配設するため、図１５に示すように、液晶モニター１４Ｂの固定用穴１２Ｂが、３組の位置変更用穴１５Ｂのうち真中のものと連通するように、液晶モニター１４Ｂにおける取付耳部５０の当接面５４と入賞球集合部材１０Ｂの当接面５５とを接面させてもよい。
【００４５】
その後も、液晶モニター１４Ｂの取付耳部５０における固定用穴１２Ｂから、入賞球集合部材１０Ｂの位置変更用穴１５Ｂに、ネジ１６Ｂをそれぞれにねじ込むことにより、図１４に示すように、液晶モニター１４Ｂを入賞球集合部材１０Ｂに固定することができる。
【００４６】
もっとも、上述したように、図１４と図１５の場合においては、液晶モニター１４Ｂの固定用穴１２Ｂと連通する入賞球集合部材１０Ｂの位置変更用穴１５Ｂが、３組の位置変更用穴１５Ｂのうち真中のものであり、また、図１２と図１３の場合においては、液晶モニター１４Ｂの固定用穴１２Ｂと連通する入賞球集合部材１０Ｂの位置変更用穴１５Ｂが、３組の位置変更用穴１５Ｂのうち上方のものであるので、図１４の液晶モニター１４Ｂは、図１２の液晶モニター１４Ｂよりも、入賞球集合部材１０Ｂにおいて、より下方で固定されている。
尚、図１５は、図１１の線Ｆ−Ｆで切断した断面図である。
【００４７】
また、液晶モニター１４Ｂの固定用穴１２Ｂと連通する入賞球集合部材１０Ｂの位置変更用穴１５Ｂを、３組の位置変更用穴１５Ｂのうち下方のものとすると、図１４の液晶モニター１４Ｂや図１２の液晶モニター１４Ｂよりも、より下方で液晶モニター１４Ｂを入賞球集合部材１０Ｂに固定することができる。
【００４８】
このようにして、第２実施の形態のパチンコ機では、入賞球集合部材１０Ｂに液晶モニター１４Ｂを固定することによって、遊技盤の開口部に液晶モニター１４Ｂを取り付ける。
【００４９】
すなわち、第２実施の形態のパチンコ機においては、液晶モニター１４Ｂの固定用穴１２Ｂと入賞球集合部材１０Ｂの位置変更用穴１５Ｂとを連通させた後に（図１３、図１５参照）、ネジ１６Ｂを螺入させることによって、液晶モニター１４Ｂが入賞球集合部材１０Ｂに固定されることになる（図１２、図１４参照）。
【００５０】
さらに、ここでは、入賞球集合部材１０Ｂの複数の位置変更用穴１５Ｂのうち液晶モニター１４Ｂの固定用穴１２Ｂに連通させるものを選択することによって、入賞球集合部材１０Ｂと液晶モニター１４Ｂの相対的位置関係を変更することができる（図１２、図１４参照）。
【００５１】
従って、第２実施の形態のパチンコ機は、固定手段として、液晶モニター１４Ｂに設けられた固定用穴１２Ｂと、入賞球集合部材１０Ｂに設けられた複数の位置変更用穴１５Ｂと、液晶モニター１４Ｂの固定用穴１２Ｂと入賞球集合部材１０Ｂの位置変更用穴１５Ｂとに螺入されるネジ１６Ｂとを備えたもの、といことができる。
【００５２】
尚、第２実施の形態のパチンコ機では、固定用穴１２Ｂを液晶モニター１４Ｂに設けるとともに、複数の位置変更用穴１５Ｂを入賞球集合部材１０Ｂに設けていたが、図１６、図１７に示すように、複数の位置変更用穴１５Ｂを液晶モニター１４Ｂの取付耳部５０に設けるとともに、固定用穴１２Ｂを入賞球集合部材１０Ｂに設けてもよい。
この場合においても、入賞球集合部材１０Ｂに対する液晶モニター１４Ｂの取付位置変更作業は、入賞球集合部材１０Ｂ側における固定用穴１２Ｂと液晶モニター１４Ｂの各取付耳部５０における位置変更用穴１５Ｂの内所望の位置変更用穴１５Ｂとを相互に合致させるべく、固定用穴１２Ｂと各位置変更用穴１５Ｂとを合わせながら液晶モニター１４Ｂを各位置変更用穴１５Ｂの列設方向となる直線に沿って移動させた後、固定用穴１２Ｂと所望の位置変更用穴１５Ｂとにネジ１６Ｂを螺入して行われることとなる。
また、前記と同様に、液晶モニター１４Ｂにおける取付耳部５０の取付面５４はフラットに形成されており、また、入賞球集合部材１０Ｂの当接面５５も同様にフラットに形成されていることから、液晶モニター１４Ｂの取付耳部５０の取付面５４と入賞球集合部材１０Ｂの当接面５５とは、各フラット面を介して相互に隙間なく密着させることができる。これにより、液晶モニター１４Ｂを入賞球集合部材１０Ｂに取り付けるに際して、液晶モニター１４Ｂが当接面５５に対して傾いた状態で取り付けられることを確実に防止することが可能となり、両者の配置関係を正確に保持しつつ液晶モニター１４Ｂを常に見やすい状態に配設することができる。
【００５３】
そして、図１６の場合においては、入賞球集合部材１０Ｂの固定用穴１２Ｂと連通する液晶モニター１４Ｂの位置変更用穴１５Ｂが、３組の位置変更用穴１５Ｂのうち下方のものであり、また、図１７の場合においては、入賞球集合部材１０Ｂの固定用穴１２Ｂと連通する液晶モニター１４Ｂの位置変更用穴１５Ｂが、３組の位置変更用穴１５Ｂのうち真中のものであるので、図１６の液晶モニター１４Ｂは、図１７の液晶モニター１４Ｂよりも上方で、入賞球集合部材１０Ｂに固定されている。
【００５４】
また、入賞球集合部材１０Ｂの固定用穴１２Ｂと連通する液晶モニター１４Ｂの位置変更用穴１５Ｂを、３組の位置変更用穴１５Ｂのうち上方のものとすると、図１６の液晶モニター１４Ｂや図１７の液晶モニター１４Ｂと比べて、上方で液晶モニター１４Ｂを入賞球集合部材１０Ｂに固定することができる。
【００５５】
次に、第３実施の形態のパチンコ機について説明する。図１８は、第３実施の形態のパチンコ機で使用される入賞球集合部材の正面図である。
【００５６】
図１８に示すように、第３実施の形態のパチンコ機で使用される入賞球集合部材１０Ｃには、切欠部１１Ｃの上方の両側において、一対の固定用穴１２Ｃが形成されている。また、切欠部１１Ｂの下方の両側においても、一対の固定用穴１２Ｃが所定間隔で形成されている。
また、図１９に示すように、入賞球集合部材１０Ｃにおいて、液晶モニター１４Ｃの取付耳部５０における取付面５６（図２３参照）と当接する当接面５７は、フラットに形成されている。
尚、図１９は、図１８の線Ｇ−Ｇで切断した断面図である。
【００５７】
一方、図２０と図２１で図示される液晶モニター１４Ｃの両側に形成された取付耳部５０には、その上方の両側において、一対の長穴１８Ｃが形成されている。また、その下方の両側においても、一対の長穴１８Ｃが形成されている。各長穴１８Ｃは直線に沿って形成されている。更に、液晶モニター１４Ｃの取付耳部５０が入賞球集合部材１０Ｂの当接面５７と対向する側には、フラットに形成された取付面５６が形成されている。
【００５８】
そして、図１８の入賞球集合部材１０Ｃの切欠部１１Ｃに液晶モニター１４Ｃを配設するため、図２１に示すように、液晶モニター１４Ｃの長穴１８Ｃを、その成形方向である直線に沿って移動させ、入賞球集合部材１０Ｃの固定用穴１２Ｃと連通させた状態にしつつ、最適な位置で液晶モニター１４Ｃを入賞球集合部材１０Ｃに対し接面させる。
このとき、前記したように、液晶モニター１４Ｃにおける取付耳部５０の取付面５６はフラットに形成されており、また、入賞球集合部材１０Ｃの当接面５７も同様にフラットに形成されていることから、液晶モニター１４Ｃの取付耳部５０の取付面５６と入賞球集合部材１０Ｃの当接面５７とは、各フラット面を介して相互に隙間なく密着させることができる。これにより、液晶モニター１４Ｃを入賞球集合部材１０Ｃに取り付けるに際して、液晶モニター１４Ｃが当接面５７に対して傾いた状態で取り付けられることを確実に防止することが可能となり、両者の配置関係を正確に保持しつつ液晶モニター１４Ｃを常に見やすい状態に配設することができる。
【００５９】
その後は、液晶モニター１４Ｃの長穴１８Ｃから、入賞球集合部材１０Ｂの固定用穴１２Ｃに、ネジ１６Ｃをそれぞれにねじ込むことにより、図２０に示すように、液晶モニター１４Ｃを入賞球集合部材１０Ｃに固定することができる。
尚、図２１は、図２０の線Ｈ−Ｈで切断した断面図であって、ネジ１６Ｃは省略して図示している。
【００６０】
このとき、それぞれのネジ１６Ｃをゆるめて、液晶モニター１４Ｃを下方に移動させた後、それぞれのネジ１６Ｃを再びねじ込めば、図２２に示すように、図２０の液晶モニター１４Ｃよりも下方で、液晶モニター１４Ｃを入賞球集合部材１０Ｃに固定することができる。
尚、図２３は、図２２の線Ｉ−Ｉで切断した断面図であって、ネジ１６Ｃは省略して図示している。
【００６１】
このようにして、第３実施の形態のパチンコ機では、入賞球集合部材１０Ｃに液晶モニター１４Ｃを固定することによって、遊技盤の開口部に液晶モニター１４Ｃを取り付ける。
【００６２】
すなわち、第３実施の形態のパチンコ機においては、入賞球集合部材１０Ｃの固定用穴１２Ｃと液晶モニター１４Ｃの長穴１８Ｃとを連通させた後に（図２１、図２３参照）、ネジ１６Ｃを螺入させることによって、液晶モニター１４Ｃが入賞球集合部材１０Ｃに固定されることになる（図２０、図２２参照）。
【００６３】
このとき、液晶モニター１４Ｃを上下に移動させ、液晶モニター１４Ｃの長穴１８Ｃにおけるネジ１６Ｃの位置を調整すれば、入賞球集合部材１０Ｃと液晶モニター１４Ｃの相対的位置関係を変更することができる（図２０、図２２参照）。
【００６４】
従って、第３実施の形態のパチンコ機は、固定手段として、入賞球集合部材１０Ｃに設けられた固定用穴１２Ｃと、液晶モニター１４Ｃに設けられた長穴１８Ｃと、入賞球集合部材１０Ｃの固定用穴１２Ｃと液晶モニター１４Ｃの長穴１８Ｃとに螺入されるネジ１６Ｃとを備えたもの、ということができる。
【００６５】
以上詳細に説明したように、第１〜第３実施の形態のパチンコ機においては、入賞球集合部材１０Ａ、１０Ｂ、１０Ｃと液晶モニター１４Ａ、１４Ｂ、１４Ｃの相対的位置関係を変更し得る固定手段を備えているので、入賞球集合部材１０Ａ、１０Ｂ、１０Ｃは、液晶モニター１４Ａ、１４Ｂ、１４Ｃの取付位置の変更に対応することが可能である。
【００６６】
従って、第１〜第３実施の形態のパチンコ機においては、デザインが一新され、それにあわせて、液晶モニター１４Ａ、１４Ｂ、１４Ｃの取付位置が変更されても、固定手段により対応することができ、入賞球集合部材１０Ａ、１０Ｂ、１０Ｃを新たに設計・製作する必要もないので、入賞球集合部材１０Ａ、１０Ｂ、１０Ｃの共通化に貢献することができる。
【００６７】
尚、本発明は上記実施の形態に限定されるものでなく、その趣旨を逸脱しない範囲で様々な変更が可能である。
例えば、中央役物装置を、液晶モニター１４Ａ、１４Ｂ、１４Ｃにかえて、入賞球集合部材１０Ａ、１０Ｂ、１０Ｃの切欠部１１Ａ、１１Ｂ、１１Ｃに配設する場合でも、上述した効果を得ることができる。
【００６８】
また、遊技盤の裏面に配設された裏面カバーと、かかる裏面カバーに固定される液晶モニター１４Ａ、１４Ｂ、１４Ｃとにおいて、上述した固定手段を備える場合でも、上述した効果を得ることができる。
【００６９】
【発明の効果】
本発明のパチンコ機においては、裏面カバーと液晶モニターの相対的位置関係を変更し得る複数種類の位置変更用部品を備えているので、裏面カバーは、液晶モニターの取付位置の変更に対応することが可能となる。
【００７０】
従って、本発明のパチンコ機においては、デザインが一新され、それにあわせて、液晶モニターの取付位置が変更されても、複数種類の位置変更用部品のうち液晶モニターに取り付けるものを選択することにより対応することができ、裏面カバーを新たに設計・製作する必要もないので、裏面カバーの共通化に貢献することができる。
【図面の簡単な説明】
【図１】  図２の入賞球集合部材を線Ａ−Ａで切断した断面図である。
【図２】  第１実施の形態のパチンコ機において、入賞球集合部材に液晶モニターが固定されたときの、当該入賞球集合部材の正面図である。
【図３】  第１実施の形態のパチンコ機において、入賞球集合部材に液晶モニターが固定されたときの、当該入賞球集合部材の正面図である。
【図４】  図３の入賞球集合部材を線Ｂ−Ｂで切断した断面図である。
【図５】  第１実施の形態のパチンコ機で使用される入賞球集合部材の正面図である。
【図６】  図５の入賞球集合部材を線Ｃ−Ｃで切断した断面図である。
【図７】  第１実施の形態のパチンコ機で使用される位置変更用部品の正面図、背面図、側面図、上面図を示したものである。
【図８】  第１実施の形態のパチンコ機で使用される位置変更用部品の正面図、背面図、側面図、上面図を示したものである。
【図９】  図７又は図８の位置変更用部品を取り付けた液晶モニターの側面図である。
【図１０】  第２実施の形態のパチンコ機で使用される入賞球集合部材の正面図である。
【図１１】  図１０の入賞球集合部材を線Ｄ−Ｄで切断した断面図である。
【図１２】  第２実施の形態のパチンコ機において、入賞球集合部材に液晶モニターが固定されたときの、当該入賞球集合部材の正面図である。
【図１３】  図１２の入賞球集合部材を線Ｅ−Ｅで切断した断面図である。
【図１４】  第２実施の形態のパチンコ機において、入賞球集合部材に液晶モニターが固定されたときの、当該入賞球集合部材の正面図である。
【図１５】  図１４の入賞球集合部材を線Ｆ−Ｆで切断した断面図である。
【図１６】  第２実施の形態のパチンコ機の変形例を入賞球集合部材の断面で示した図である。
【図１７】  第２実施の形態のパチンコ機の変形例を入賞球集合部材の断面で示した図である。
【図１８】  第３実施の形態のパチンコ機で使用される入賞球集合部材の正面図である。
【図１９】  図１８の入賞球集合部材を線Ｇ−Ｇで切断した断面図である。
【図２０】  第３実施の形態のパチンコ機において、入賞球集合部材に液晶モニターが固定されたときの、当該入賞球集合部材の正面図である。
【図２１】  図２０の入賞球集合部材を線Ｈ−Ｈで切断した断面図である。
【図２２】  第３実施の形態のパチンコ機において、入賞球集合部材に液晶モニターが固定されたときの、当該入賞球集合部材の正面図である。
【図２３】  図２２の入賞球集合部材を線Ｉ−Ｉで切断した断面図である。
【図２４】  従来技術の遊技盤の裏面の正面図である。
【図２５】  従来技術の遊技盤の裏面の正面図である。
【図２６】  従来技術の遊技盤の裏面の正面図である。
【符号の説明】
１０Ａ、１０Ｂ、１０Ｃ  入賞球集合部材
１２Ａ、１２Ｂ、１２Ｃ  固定用穴
１４Ａ、１４Ｂ、１４Ｃ  液晶モニター
１５Ｂ、１５Ｃ、２５、３５  位置変更用穴
１６Ａ、１６Ｂ、１６Ｃ  ネジ
１８Ｃ  長穴
２１、３１  位置変更用部品
１００  遊技盤
１０１  遊技盤の開口部
【図１】
0004524954.tif 000002
【図２】
0004524954.tif 000003
【図３】
0004524954.tif 000004
【図４】
0004524954.tif 000005
【図５】
0004524954.tif 000006
【図６】
0004524954.tif 000007
【図７】
0004524954.tif 000008
【図８】
0004524954.tif 000009
【図９】
0004524954.tif 000010
【図１０】
0004524954.tif 000011
【図１１】
0004524954.tif 000012
【図１２】
0004524954.tif 000013
【図１３】
0004524954.tif 000014
【図１４】
0004524954.tif 000015
【図１５】
0004524954.tif 000016
【図１６】
0004524954.tif 000017
【図１７】
0004524954.tif 000018
【図１８】
0004524954.tif 000019
【図１９】
0004524954.tif 000020
【図２０】
0004524954.tif 000021
【図２１】
0004524954.tif 000022
【図２２】
0004524954.tif 000023
【図２３】
0004524954.tif 000024
【図２４】
0004524954.tif 000025
【図２５】
0004524954.tif 000026
【図２６】
0004524954.tif 000027